(57)【要約】【課題】  ケースの内部を覆う大きさの１枚の回路基板を配置する如く複数の回路基板を容易に配置でき、ケースの更なる薄型化を可能とする。【解決手段】  各種回路が組み付けられた回路基板６がケース１０内の全域に亘り配置されると共に、液晶表示器２はケース１０の上部に配置される一方、スピーカ４はケース１０の下部に配置されて成り、回路基板６は、１枚の基板上に回路形成した後分離された第１の回路基板６ａと第２の回路基板６ｂとを有し、第１の回路基板６ａは、液晶表示器２の背部を含むケース１０の上部領域に配置されると共に、第２の回路基板６ｂは、第１の回路基板６ａに隣接するケース１０の下部領域であって、スピーカ４の周囲を含む領域に配置され、第２の回路基板６ｂは、第１の回路基板６ａに対して分離前の状態から左右何れか特定の方向に所定量ずらした状態で配置されて成る。【選択図】  図５
2018074289.tif 000002
【特許請求の範囲】
【請求項１】
液晶表示器と複数の操作ボタンがケース前面に配置され、マイク及びスピーカを備えたインターホン機器であって、
前記液晶表示器に映像を表示させて通話を実施するための各種回路が組み付けられた回路基板が前記ケース内全域に亘り配置されると共に、前記液晶表示器は前記ケースの上部に配置される一方、前記スピーカは前記ケースの下部に配置されて成り、
前記回路基板は、１枚の基板上に回路形成した後分離された第１の回路基板と第２の回路基板とを有し、
前記第１の回路基板は、前記液晶表示器の背部を含む前記ケースの上部領域に配置されると共に、前記第２の回路基板は、前記第１の回路基板に隣接する前記ケースの下部領域であって、前記スピーカの周囲を含む領域に配置され、
前記第２の回路基板は、前記第１の回路基板に対して分離前の状態から左右何れか特定の方向に所定量ずらした状態で配置されて成ることを特徴とするインターホン機器。
【請求項２】
前記ケースには、前記第１の回路基板に対して前記第２の回路基板を前記左右何れか特定の方向に所定量ずらして配置するための位置決め突起が設けられて成ることを特徴とする請求項１記載のインターホン機器。
【請求項３】
前記第２の回路基板は、前記スピーカを後方に露出させるスピーカ露出孔を有して、前記ケースの前面近傍に配設され、前記第１の回路基板と第２の回路基板とは、前後方向に段差を設けて配置されて成ることを特徴とする請求項１又は２記載のインターホン機器。
【発明の詳細な説明】
【技術分野】
【０００１】
本発明は、インターホン子機等の特定の機器との間で呼出／通話が可能なインターホン機器に関し、特に映像等を表示するモニタを備えたインターホン機器に関する。
【背景技術】
【０００２】
インターホン機器として、玄関等に設置されたインターホン子機からの呼出操作を受けて通話路を形成し、来訪者等と通話することができるインターホン親機がある。このインターホン親機は、インターホン子機に来訪者を撮像するために設けられたカメラの撮像映像を表示するためのモニタを備えたものが普及している。
このようなインターホン親機は通常壁面に取り付けられるため、前方への突出が小さい薄型のものが望まれており、例えば特許文献１に記載されているように、インターホン機器のケース内に内部空間のほぼ全域に亘る１枚の回路基板を配置し、この１枚の回路基板上に全ての回路を組み付けることで、回路基板を重ねて配置する構成を無くして機器の厚みが極力薄くなるよう形成したものがある。
【先行技術文献】
【特許文献】
【０００３】
【特許文献１】特開２０１３−８４６８号公報
【発明の概要】
【発明が解決しようとする課題】
【０００４】
しかしながら、回路基板に組み付けられる素子は、液晶表示器を駆動するＩＣ化されたＬＣＤ駆動回路や抵抗素子のような比較的高さの低い素子がある一方で、電源を構成するトランスやコンデンサのように比較的高さのある素子がある。そのため、１枚の回路基板にこれらの素子を組み付けた場合、トランス等の高さのある素子で回路基板の収納に必要なケースの奥行きが決定され、回路基板の素子搭載面上に比較的広い空間が発生する場合があった。
そのため、高さのある素子に関しては基板を別途設けて組み付けることで、無駄な空間の発生を無くす構成が考えられるが、そうなると基板が重ねて配置されたり、基板間に無駄な空間が形成されたりと、従来の複数基板を収納した構成と大差が無くなり、薄型化に大きく寄与させることはできなかった。
【０００５】
そこで、本発明はこのような問題点に鑑み、ケースの内部を覆う大きさの１枚の回路基板を配置する如く複数の回路基板を容易に配置でき、ケースの更なる薄型化を可能としたインターホン機器を提供することを目的としている。
【課題を解決するための手段】
【０００６】
上記課題を解決する為に、請求項１の発明は、液晶表示器と複数の操作ボタンがケース前面に配置され、マイク及びスピーカを備えたインターホン機器であって、液晶表示器に映像を表示させて通話を実施するための各種回路が組み付けられた回路基板がケース内全域に亘り配置されると共に、液晶表示器はケースの上部に配置される一方、スピーカはケースの下部に配置されて成り、回路基板は、１枚の基板上に回路形成した後分離された第１の回路基板と第２の回路基板とを有し、第１の回路基板は、液晶表示器の背部を含むケースの上部領域に配置されると共に、第２の回路基板は、第１の回路基板に隣接するケースの下部領域であって、スピーカの周囲を含む領域に配置され、第２の回路基板は、第１の回路基板に対して分離前の状態から左右何れか特定の方向に所定量ずらした状態で配置されて成ることを特徴とする。
この構成によれば、第１の回路基板と第２の回路基板は、連結して作製された後分離して配置されるため、互いの対峙辺が直線でなくても良好に近接配置することが可能であり、１枚の回路基板でケース内を覆う如く複数の回路基板を配置できる。そして、分離することで回路基板同士を段違い配置することが可能となり、ケースの内部空間に応じた最適な位置に配置でき、ケースの更なる薄型化に効果を奏する。
また、回路基板の製造工程は実質１枚の工程で済むため、全体を１枚の基板で形成する場合に比べて僅かなコスト増で済む。
更に、第１の回路基板に対して第２の回路基板は左右何れか特定の方向に所定量ずらして配置されるため、両者を連結していた突起部の処理をしなくとも、突起部同士の接触を防止でき、簡単な分離処理で済むし基板同士を無理なく近接配置できる。
【０００７】
請求項２の発明は、請求項１に記載の構成において、ケースには、第１の回路基板に対して第２の回路基板を左右何れか特定の方向に所定量ずらして配置するための位置決め突起が設けられて成ることを特徴とする。
この構成によれば、簡易な操作で第２の回路基板を所定量ずらした状態で確実に位置決めでき、組み付け操作が容易となる。
【０００８】
請求項３の発明は、請求項１又は２に記載の構成において、第２の回路基板は、スピーカを後方に露出させるスピーカ露出孔を有して、ケースの前面近傍に配設され、第１の回路基板と第２の回路基板とは、前後方向に段差を設けて配置されて成ることを特徴とする。
この構成によれば、第２の回路基板は奥行きのあるスピーカを後方に露出させる孔を備えるため、スピーカ周囲を含むケース前面寄りに配置でき、その裏面に比較的大きい素子配置空間を形成でき、第２の回路基板には大きい素子を容易に組み付けできる。
【発明の効果】
【０００９】
本発明によれば、連結して作製された第１の回路基板と第２の回路基板は、分離して配置されるため、互いの対峙辺が直線でなくても良好に近接配置することが可能であり、１枚の回路基板でケース内を覆う如く複数の回路基板を配置できる。そして、分離することで回路基板同士を段違い配置することが可能となり、ケース内部空間に応じた最適な部位に配置でき、ケースの更なる薄型化に効果を奏する。
また、回路基板の製造工程は実質１枚の工程で済むため、全体を１枚の基板で形成する場合に比べて僅かなコスト増で済む。
更に、第１の回路基板に対して第２の回路基板は左右何れか特定の方向に所定量ずらして配置されるため、両者を連結していた突起部の処理をしなくとも、突起部同士の接触を防止でき、簡単な分離処理で済むし基板同士を無理なく近接配置できる。
【図面の簡単な説明】
【００１０】
【図１】本発明に係るインターホン機器の一例を示し、インターホン親機の正面図である。
【図２】図１のケース上を外して回路基板を露出させた正面説明図である。の配置を示すインターホン親機を後方から見たケース内部の斜視説明図である。
【図３】回路基板の説明図で、分離前の状態を示している。
【図４】第１の回路基板と第２の回路基板に分離した状態を示している。
【図５】ケース下を外して回路基板を露出させた背面方向からみた斜視図である。
【図６】Ａ−Ａ線断面図である。
【発明を実施するための形態】
【００１１】
以下、本発明を具体化した実施の形態を、図面を参照して詳細に説明する。図１，２は本発明に係るインターホン機器の一例を示し、別途設けられたインターホン子機（図示せず）からの呼び出しに応答するためのインターホン親機を示している。図１は外観を示す正面図、図２はケース上を外して回路基板を露出させた正面説明図である。
インターホン親機は、インターホン子機からの呼び出しに応答するための通話ボタン１ａ等の各種操作ボタン１（１ａ〜１ｆ）に加えて、インターホン子機に設けられた図示しないカメラの撮像映像を表示する液晶表示器２から成るモニタを設けた構成となっている。
【００１２】
インターホン親機のケース１０は、インターホン親機の前面を形成するケース上１０ａと、壁面に取り付けられる際は壁面に密着するケース下１０ｂとで構成されている。液晶表示器２は、インターホン親機が壁面に設置された際に上部となるケース上１０ａの上部に配置され、操作ボタン１は中央部及び下端に設けられている。
またケース上１０ａの右上にはマイク孔１４、中央下部にはスピーカ孔１５が設けられ、ケース１０内であるケース上１０ａの背部所定位置にマイク３、スピーカ４が組み付けられている。
【００１３】
ケース１０内には、図２に示すようにケース１０の内部が覆われるように回路基板６が配置されている。回路基板６は、第１の回路基板６ａ及び第２の回路基板６ｂの２枚で構成され、この２枚の回路基板６ａ，６ｂは近接配置され、両者の間の隙間は僅かとなっている。具体的に、両基板６ａ，６ｂの境は階段状に形成され、僅かな隙間Ｔ１，Ｔ２が設けられて両基板６ａ，６ｂは互いに重ならないように配置されている。
【００１４】
第１の回路基板６ａは、液晶表示器２の背部を含むケース１０内の上部を覆い、一部はケース１０の下端まで達する長さを有しており、ケース１０内の約３分の２の領域を覆う大きさを有している。一方、第２の回路基板６ｂは、ケース１０内の残りの約３分の１の領域を埋めるよう形成され、第１の回路基板６ａが配置されない領域を覆うよう形成されている。
また第２の回路基板６ｂには、ケース上１０ａに取り付けられたスピーカ４を基板の後方に露出させるスピーカ露出孔１６が穿設されており、第２の回路基板６ｂはスピーカ４の周囲を含む領域に配置され、ケース上１０ａの背面近傍に配置されている。
【００１５】
図３は分離する前の回路基板６を示し、第１の回路基板６ａと第２の回路基板６ｂとは図３に示すように１枚の基板に一体で作製される。但し、第１の回路基板６ａと第２の回路基板６ｂの境界は、階段状に形成された幅ＴのスリットＳが穿設され、数カ所の僅かな部分で連結された状態で双方の回路は形成され、素子が組み付けられた後、最後にケース１０に組み付ける段階で分離される。
ここでは、第１の回路基板６ａと第２の回路基板６ｂとは４箇所が連結片７により連結されており、ケース１０に組み付ける段階で、作業者によりニッパー等の切断手段を用いて連結片７は分離される。
図４はこうして分離された状態を示し、連結片７が分離されて双方の基板６ａ，６ｂに突起部７ａ，７ｂが残った状態を示している。この切断しただけの状態でケース１０に組み付けられる。
【００１６】
図５はケース下１０ｂを外して回路基板６を露出させた背面方向からみたケース上１０ａの斜視説明図であり、図５に示すように第１の回路基板６ａは、ケース上１０ａに設けられたケース下１０ｂと連結するための４箇所のネジ止め支柱８（８ａ〜８ｄ）のうち３箇所のネジ止め支柱８（８ａ〜８ｃ）を挿通する孔２０が設けられており、この孔２０にネジ止め支柱８を挿通することで位置決めされる。
尚、第１の回路基板６ａの表側には液晶表示器２が取り付けられており、この液晶表示器２がケース上１０ａの収容部（図示せず）に収容されることでも位置決めされる。
【００１７】
一方、第２の回路基板６ｂは、ケース上１０ａに設けられたケース下１０ｂと連結するための２箇所のネジ止め支柱８（８ｅ，８ｆ）を挿通する孔２１が設けられており、この孔２１にネジ止め支柱８を挿通することで位置決めされる。但し、第２の回路基板６ｂの図示左端部を、ケース上１０ａに形成された位置決め突起１７に最初に係止させることで正確な位置決めができ、その後第２の回路基板６ｂ全体を落とし込むことで、ネジ止め支柱８が孔２１に入り込んで安定した状態が保持される。このように、回路基板６はケース上１０ａに対して後方から組み付けられ、その後ケース下１０ｂが施蓋される。
【００１８】
ここで、組み付け時に発生する第１の回路基板６ａと第２の回路基板６ｂの間の隙間について説明する。図２に示すように、左右方向に隙間（第１の隙間）Ｔ１が設けられ、上下方向に隙間（第２の隙間）Ｔ２が設けられて設置される。
隙間（第２の隙間）Ｔ２は、分離する前の第１の回路基板６ａと第２の回路基板６ｂの距離と略同程度の隙間であるが、第２の回路基板６ｂは横方向に一定量移動して組み付けられることで、第１の隙間Ｔ１は第２の隙間Ｔ２より３〜５倍広くなっている。
そして、第１の回路基板６ａを設置した後、第２の回路基板６ｂを設置するが、その際位置決め突起１７に当接させる位置決め操作により、連結片７の突起部７ａ，７ｂ同士の位置が一定量ずれた状態で位置決めされるため、突起部７ａ，７ｂを処理せずに残した状態でも、双方の突起同士が接触して組付けの障害になることがなく、無理なく近接配置できる。   
【００１９】
図６は図１のＡ−Ａ線断面図であり、第１の回路基板６ａと第２の回路基板６ｂの前後位置を示している。図６に示すように、液晶表示器２の背部に配置された第１の回路基板６ａに対して、第２の回路基板６ｂはその前方であるケース上１０ａの背部近傍に配置されており、背部には第１の回路基板６ａより広い素子配置空間が形成され、大きな素子を無理なく配置可能としている。
【００２０】
このように、第１の回路基板６ａと第２の回路基板６ｂは、連結して作製された後分離して配置されるため、互いの対峙辺が直線でなくても良好に近接配置することが可能であり、１枚の回路基板６でケース１０の内部を覆う如く２枚の回路基板６ａ，６ｂを配置できる。そして、分離することで回路基板６ａ，６ｂ同士を段違い配置することが可能となり、ケース１０の内部空間に応じた最適な部位に配置でき、ケース１０の更なる薄型化に効果を奏する。
また、回路基板６の製造工程は実質１枚の工程で済むため、全体を１枚の基板で形成する場合に比べて僅かなコスト増で済む。
また 、位置決め突起１７を設けることで、簡易な操作で第２の回路基板６ｂを特定の方向に所定量確実にずらすことができ、組み付け操作が容易となるし、第２の回路基板６ａは奥行きのあるスピーカ４を後方に露出させるスピーカ露出孔１６を備えるため、スピーカ４の周囲を含むケース上１０ａ寄りに配置でき、その裏面に比較的大きい素子配置空間を形成して大きい素子を容易に組み付けできる。
【００２１】
尚、上記実施形態では、第１の回路基板６ａと第２の回路基板６ｂとの対峙辺は、略階段状の複雑な形状となっているが、両者の対峙辺は単純な直線であっても良い。更に、双方の基板とも単純な四角形であっても良い。
また、第２の回路基板６ｂは第１の回路基板６ａより小さいが、大きさや形状は任意であるし、１枚の回路基板を２つに分割しているが更に分割して３枚或いは４枚にして組み付けても良い。
更に、インターホン子機との間で通話路を形成するインターホン親機を例に説明したが、本発明のインターホン機器は集合住宅の住戸親機を含むのは勿論であるし、液晶表示器から成るモニタを備えた機器に良好に適用できる。
【符号の説明】
【００２２】
１・・操作ボタン、２・・液晶表示器、６・・回路基板、６ａ・・第１の回路基板、６ｂ・・第２の回路基板、７・・連結片、７ａ，７ｂ・・突起部、１０・・ケース、１６・・スピーカ露出孔、１７・・位置決め突起。
【図１】
2018074289.tif 000003
【図２】
2018074289.tif 000004
【図３】
2018074289.tif 000005
【図４】
2018074289.tif 000006
【図５】
2018074289.tif 000007
【図６】
2018074289.tif 000008